(57)【要約】【課題】簡単な構成で第１固定部材は堅固に被固定部材に締結し、第２固定部材は弱く被固定部材に締結し、第１固定部材が反っても第２固定部材が反らないようにして第１固定部材及び第２固定部材を被固定部材に固定する。【解決手段】第１ネジ挿通孔１６周縁に間隔をあけて第１隆起部１７を形成し、第２ネジ挿通孔１９に第１隆起部１７の間隔に嵌め込まれる第２隆起部２０を形成し、固定用ネジのネジ頭を第１隆起部１７に当接させると共に、第２隆起部２０に当接させず又は第１隆起部１７よりも弱く当接するようにして背面側キャビネット４及びアンテナユニット１０を正面側キャビネット３に固定する。【選択図】図１
2014120881.tif 000002
【特許請求の範囲】
【請求項１】
ネジ孔を有する被固定部材と、
上記被固定部材の表面側に配置され、上記ネジ孔に対応する第１ネジ挿通孔を有する第１固定部材と、
上記第１固定部材の表面側に配置され、上記ネジ孔に対応する第２ネジ挿通孔を有する第２固定部材と、
上記第１ネジ挿通孔及び上記第２ネジ挿通孔に挿通され、上記ネジ孔に締結される固定用ネジとを備え、
上記第１ネジ挿通孔周縁には、間隔をあけて第１隆起部が形成され、
上記第２ネジ挿通孔には、上記第１隆起部の間隔に嵌め込まれる第２隆起部が形成され、
上記固定用ネジのネジ頭が上記第１隆起部に当接すると共に、上記第２隆起部には、当接せず又は該第１隆起部よりも弱く当接するようにして上記第１固定部材及び第２固定部材が上記被固定部材に固定されている
ことを特徴とする携帯端末。
【請求項２】
請求項１に記載の携帯端末において、
上記被固定部材の表面と、上記第１固定部材の裏面との間に防水パッキンが狭持され、
上記ネジ孔は、上記防水パッキンによる防水領域の外に設けられている
ことを特徴とする携帯端末。
【請求項３】
請求項１又は２に記載の携帯端末において、
上記第１固定部材は、背面側キャビネットであり、
上記第２固定部材は、アンテナ部品であり、
上記被固定部材は、上記アンテナ部品に接続される接触端子が設けられた回路基板を収容する正面側キャビネットである
ことを特徴とする携帯端末。
【請求項４】
請求項３に記載の携帯端末において、
上記背面側キャビネットには、上記接触端子を露出させる窓部が形成され、
上記窓部周縁には、上記アンテナ部品によって狭持される防水シートが設けられている
ことを特徴とする携帯端末。
【請求項５】
請求項４に記載の携帯端末において、
上記背面側キャビネットには、充電池を収容する充電池収容用開口が設けられ、
上記充電池収容口の周りには、背面側防水パッキンが設けられ、上記アンテナ部品は、該背面側防水パッキンの防水領域外に取り付けられる
ことを特徴とする携帯端末。
【発明の詳細な説明】
【技術分野】
【０００１】
本発明は、携帯電話機などの携帯端末に関するものである。
【背景技術】
【０００２】
従来より、アンテナ部品を有する携帯電話機などの携帯端末は知られている。例えば、特許文献１の携帯端末では、第１ケース周縁と第２ケース周縁との間にアンテナを狭持し、このアンテナと内部の回路基板とを電気的に接続するようにしている。
【先行技術文献】
【特許文献】
【０００３】
【特許文献１】特開２０１０−２４５８９５号公報
【発明の概要】
【発明が解決しようとする課題】
【０００４】
アンテナの配置は、表示画面及び充電池の拡大、アンテナ種類の増加にともなってますます困難になっている。そこで、図１０に示す防水型携帯端末１０１では、表示ディスプレイ１０２及び回路基板１０６を収容する正面側キャビネット１０３のネジ孔１１１に対し、背面側キャビネット１０４とアンテナ部品１１０とを共締めするようにし、このアンテナ部品１１０の表面にアンテナ素子１１０ａを印刷する技術が用いられている。
【０００５】
しかしながら、この防水型携帯端末１０１では、ネジ１５０にＯリング１１５を挿入し、アンテナ部品１１０を背面側キャビネット１０４に堅固に固定している。このため、背面側キャビネット１０４に反りがあると、アンテナ部品１１０も反り、アンテナ性能及び防水性に悪影響を及ぼすという問題がある。
【０００６】
本発明は、かかる点に鑑みてなされたものであり、その目的とするところは、簡単な構成で第１固定部材は堅固に被固定部材に締結し、第２固定部材は弱く被固定部材に締結し、第１固定部材が反っても第２固定部材が反らないようにして第１固定部材及び第２固定部材を被固定部材に固定することにある。
【課題を解決するための手段】
【０００７】
上記の目的を達成するために、この発明では、ネジ頭の当接強度に変化を持たせた。
【０００８】
具体的には、第１の発明では、
ネジ孔を有する被固定部材と、
上記被固定部材の表面側に配置され、上記ネジ孔に対応する第１ネジ挿通孔を有する第１固定部材と、
上記第１固定部材の表面側に配置され、上記ネジ孔に対応する第２ネジ挿通孔を有する第２固定部材と、
上記第１ネジ挿通孔及び上記第２ネジ挿通孔に挿通され、上記ネジ孔に締結される固定用ネジとを備え、
上記第１ネジ挿通孔周縁には、間隔をあけて第１隆起部が形成され、
上記第２ネジ挿通孔には、上記第１隆起部の間隔に嵌め込まれる第２隆起部が形成され、
上記固定用ネジのネジ頭が上記第１隆起部に当接すると共に、上記第２隆起部には、当接せず又は該第１隆起部よりも弱く当接するようにして上記第１固定部材及び第２固定部材が上記被固定部材に固定されている。
【０００９】
上記の構成によると、固定用ネジのネジ頭を堅固に第１隆起部に当接させることで、第１固定部材が被固定部材に対して強く固定される。一方、固定用ネジのネジ頭は、第２隆起部には、当接せず又はこの第１隆起部よりも弱く当接するようにしたので、第２固定部材は、被固定部材に対して弱く固定される。このため、第２固定部材は、被固定部材から外れることはなく、被固定部材又は第１固定部材に反りが発生しても、それにあわせて反ることはない。
【発明の効果】
【００１０】
以上説明したように、本発明によれば、固定用ネジのネジ頭を第１隆起部に当接させると共に、第２隆起部には、当接させず又は第１隆起部よりも弱く当接させて第１固定部材及び第２固定部材を被固定部材に固定したことにより、簡単な構成で第１固定部材は堅固に被固定部材に締結し、第２固定部材は弱く被固定部材に締結し、第１固定部材が反っても第２固定部材が反らないようにして第１固定部材及び第２固定部材を被固定部材に固定することがきできる。
【図面の簡単な説明】
【００１１】
【図１】本発明に実施形態に係る携帯電話機における、リアカバーを外した状態のアンテナユニット及びその周辺を拡大して示す斜視図であり、ネジ孔周辺を一部拡大して示す。
【図２】携帯電話機を示し、（ａ）が正面から見た斜視図であり、（ｂ）が背面から見た斜視図である。
【図３】正面側から見た携帯電話機の分解斜視図である。
【図４】背面側から見た携帯電話機の分解斜視図である。
【図５】図２（ｂ）のＶ−Ｖ線断面図及び一部拡大断面図である。
【図６】アンテナユニットを外したときのネジ孔及びその周辺を拡大して示す斜視図である。
【図７】背面側キャビネットを外したときのネジ孔及びその周辺を拡大して示す斜視図である。
【図８】図２（ｂ）のVIII−VIII線断面図及び一部拡大断面図である。
【図９】アンテナユニットを示し、（ａ）が背面側から見た拡大斜視図であり、（ｂ）が正面側から見た拡大斜視図である。
【図１０】従来技術に係る携帯端末の図５相当図である。
【発明を実施するための形態】
【００１２】
以下、本発明の実施形態を図面に基づいて説明する。
【００１３】
図２は、本発明に実施形態に係る携帯端末としての携帯電話機１を示し、（ａ）が正面から見た斜視図であり、（ｂ）が背面から見た斜視図である。図３は、正面側から見た携帯電話機１の分解斜視図であり、図４は、背面側から見た携帯電話機１の分解斜視図である。図５は、図２（ｂ）のＶ−Ｖ線断面図及び一部拡大断面図である。これらの図に示すように、携帯電話機１は、保護フィルム２ａ、ガラスパネル２ｂ、タッチパネル、液晶ユニット等を有する表示ディスプレイ２を備えている。図３に示すように、この表示ディスプレイ２は、被固定部材としての正面側キャビネット３のディスプレイ収容部３ａに収容されている。なお、表示ディスプレイ２の周囲は、装飾部３ｂで覆われている。
【００１４】
この正面側キャビネット３の背面側には、第１固定部材としての背面側キャビネット４が結合されている。この背面側キャビネット４の背面がリアカバー５で覆われている。正面側キャビネット３の背面には、回路基板６が嵌め込まれ、その背面側に矩形板状の充電池７が収容されている。
【００１５】
図１は、本発明に実施形態に係る携帯電話機１における、リアカバー５を外した状態のアンテナユニット１０及びその周辺を拡大して示す斜視図であり、ネジ孔周辺を一部拡大して示す。図６は、第２固定部材（アンテナ部品）としてのアンテナユニット１０を外したときのネジ孔及びその周辺を拡大して示す断面図である。図６では、理解をしやすくするためにアンテナユニット１０のうち、樹脂部分を取り除きアンテナ素子１０ａのみを残してある。図７は、背面側キャビネットを外したときのネジ孔及びその周辺を拡大して示す断面図である。図８は、図２（ｂ）のVIII−VIII線断面図及び一部拡大断面図である。
【００１６】
正面側キャビネット３の背面側には、背面側キャビネット４を固定するための複数のネジ孔１１が形成されている。図５に示すように、ネジ孔１１は、例えば金属製ナット１１ａと、その外周を覆うボス１１ｂよりなる。図７に示すように、回路基板６の外側には、正面側防水パッキン１２が配置されている。この正面側防水パッキン１２を正面側キャビネット３と背面側キャビネット４とで挟み込むことで、回路基板６等の内部部品が防水されている。下端の一対のネジ孔１１は、正面側防水パッキン１２の防水領域外に配置されている。回路基板６の下側には、アンテナユニット１０に接続される一対の接触端子１３が設けられている。
【００１７】
図６に示すように、背面側キャビネット４を正面側キャビネット３に重ねると、背面側キャビネット４に設けた矩形状の窓部１４から一対の接触端子１３が覗いている。窓部１４の周囲には、この窓部１４を囲むように防水シート１５が貼り付けられている。この防水シート１５は、例えば裏面に両面テープが貼り付けられたゴム、ウレタン等の弾性部材よりなる。そして、背面側キャビネット４には、ネジ孔１１に対応して同心の第１ネジ挿通孔１６が開口されている。この第１ネジ挿通孔１６周縁には、間隔をあけて一対の円弧状の第１隆起部１７が形成されている。
【００１８】
また、背面側キャビネット４には、充電池７を収容する矩形状の充電池収容用開口４ａが設けられている。この充電池収容用開口４ａの周りには、背面側防水パッキン１８が当接するパッキン当接壁部４ｂが充電池収容用開口４ａを囲むように立設され、リアカバー５を閉じたときに充電池７側へ水が浸入しないようになっている。アンテナユニット１０は、この背面側防水パッキン１８の防水領域外に取り付けられるようになっている。
【００１９】
図９は、アンテナユニット１０を示し、（ａ）が背面側から見た拡大斜視図であり、（ｂ）が正面側から見た拡大斜視図である。アンテナユニット１０は、樹脂成形品よりなり、その表面にアンテナ素子１０ａが印刷されている。アンテナ素子１０ａは、インサート成形や二色成形で設けてもよく、別部品として樹脂成形品に貼り付けてもよい。本実施形態では、２つのアンテナ素子１０ａが設けられているが、その数は限定されない。また、このアンテナ素子１０ａのない部分には、ネジ孔１１に対応するように同心の第２ネジ挿通孔１９が形成されている。この第２ネジ挿通孔１９と上記第１ネジ挿通孔１６に固定用ネジ５０が挿通され、上記ネジ孔１１に締結されるようになっている。第２ネジ挿通孔１９の内径は、固定用ネジ５０のネジ頭５０ａの外径よりも若干大きく、その正面側には、第１隆起部１７の間隔に嵌め込まれる一対の第２隆起部２０が形成されている。また、アンテナユニット１０の裏面には、防水シート１５を囲むように嵌合凹部１０ｂが凹陥され、その中央に接触端子１３に接触する端子部１０ｃが隆起している。端子部１０ｃには、アンテナ素子１０ａが電気的に接続されている。
【００２０】
そして、図５及び図８に示すように、固定用ネジ５０のネジ頭５０ａが第１隆起部１７に当接すると共に、第２隆起部２０には、当接せず又は第１隆起部１７よりも弱く当接するようにして背面側キャビネット４及びアンテナユニット１０が正面側キャビネット３に固定されている。
【００２１】
本実施形態に係る携帯電話機１では、以下のような作用がある。
【００２２】
（１）第２ネジ挿通孔１９と第１ネジ挿通孔１６とに固定用ネジ５０を挿通し、ネジ孔１１に締結すると、図５に示すように、第１隆起部１７の方が第２隆起部２０よりも先に固定用ネジ５０のネジ頭５０ａに当たるので、ネジ頭５０ａが堅固に第１隆起部１７に当接し、背面側キャビネット４が正面側キャビネット３に対して強く固定される。
【００２３】
一方、図８に示すように、第２隆起部２０の方が第１隆起部１７よりもネジ孔１１からの高さが低いので、固定用ネジ５０のネジ頭５０ａは、第２隆起部２０には、当接せず隙間ｈが保たれる。なお、固定用ネジ５０のネジ頭５０ａは、第２隆起部２０に対して第１隆起部１７よりも弱く当接するようにしてもよい。このように、アンテナユニット１０は、正面側キャビネット３及び背面側キャビネット４に対して弱く固定される。このため、アンテナユニット１０は、正面側キャビネット３から外れることはなく、しかも正面側キャビネット３又は背面側キャビネット４に反りが発生しても、それにあわせて反ることはない。
【００２４】
（２）上記実施形態では、図７に示すように、正面側キャビネット３の表面と背面側キャビネット４の裏面との間に正面側防水パッキン１２を狭持し、ネジ孔１１を正面側防水パッキン１２による防水領域の外に設けたので、ネジ頭５０ａと第１隆起部１７及び第２隆起部２０との間に隙間が生じてネジ孔１１周りの防水性が確保されていなくても、正面側防水パッキン１２内には水が入り込まない。このため、図１０に示す従来例のように、Ｏリング１１５を設けることはないので、ネジ孔１１周りの防水構造を簡易化できる。
【００２５】
（３）また、第１固定部材を背面側キャビネット４とし、第２固定部材をアンテナユニット１０とし、被固定部材をアンテナユニット１０に接続される接触端子１３が設けられた回路基板６を収容する正面側キャビネット３とし、アンテナユニット１０を別部品として構成したので、アンテナユニット１０を大きくして、その表面に大きくアンテナ素子１０ａを印刷することができる。アンテナユニット１０が背面側キャビネット４よりも弱く正面側キャビネットに固定されているので、背面側キャビネット４又は正面側キャビネットに反りが生じてもアンテナユニット１０の反りを防止できる。このため、アンテナ性能が悪化せず、反りによる防水性の低下を防ぐことができる。
【００２６】
（４）また、上記実施形態では、図６に示すように、背面側キャビネット４に接触端子１３を露出させる窓部１４を形成し、窓部１４周縁にアンテナユニット１０によって狭持される防水シート１５を設けた。この場合、アンテナユニット１０の固定を弱くしても防水シート１５によって窓部１４の周縁の防水性が保たれるので、水が窓部１４から正面側キャビネット３側に入りにくくなる。
【００２７】
（５）さらに、図１に示すように、背面側キャビネット４に充電池７を収容する充電池収容用開口４ａを設け、この充電池収容用開口４ａの周りに背面側防水パッキン１８を設け、アンテナユニット１０を背面側防水パッキン１８の防水領域外に取り付けた。この場合、アンテナユニット１０が背面側キャビネット４に対して弱く固定されているが、リアカバー５を閉じると、背面側防水パッキン１８により防水性が確保されるので、充電池７側へ水が浸入しない。
【００２８】
したがって、本実施形態に係る携帯電話機１によると、固定用ネジ５０のネジ頭５０ａを第１隆起部１７に当接させると共に、第２隆起部２０には、当接させず又は第１隆起部１７よりも弱く当接させて背面側キャビネット４及びアンテナユニット１０を正面側キャビネット３に固定したことにより、簡単な構成で背面側キャビネット４は堅固に正面側キャビネット３に締結し、アンテナユニット１０は弱く正面側キャビネット３に締結し、背面側キャビネット４が反ってもアンテナユニット１０が反らないようにしてアンテナユニット１０の反りを防ぎながら背面側キャビネット４及びアンテナユニット１０を正面側キャビネット３に固定することがきできる。
【００２９】
（その他の実施形態）
本発明は、上記実施形態について、以下のような構成としてもよい。
【００３０】
すなわち、上記実施形態では、第１固定部材は背面側キャビネット４であり、第２固定部材は、アンテナユニット１０であり、被固定部材は、正面側キャビネット３としたが、これに限定されない。携帯端末において、第１固定部材は堅固に被固定部材に締結し、第２固定部材は弱く被固定部材に締結するような場合に本発明の適用が可能である。
【００３１】
上記実施形態では、携帯端末は、防水機能のあるストレートタイプの携帯電話機１としたが、折畳み式携帯電話機でもスライド式携帯電話機でもよく、ＰＨＳ（Personal Handy-phone System ）、ＰＤＡ(Personal Digital Assistant)、スマートフォン、パソコン、モバイルツール、電子辞書、電卓、ゲーム機等であってもよい。
【００３２】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３３】
１      携帯電話機（携帯端末）
２      表示ディスプレイ
２ａ    保護フィルム
２ｂ    ガラスパネル
３      正面側キャビネット（被固定部材）
３ａ    ディスプレイ収容部
３ｂ    装飾部
４      背面側キャビネット（第１固定部材）
４ａ    充電池収容用開口
５      リアカバー
６      回路基板
７      充電池
１０      アンテナユニット（第２固定部材、アンテナ部品）
１０ａ    アンテナ素子
１０ｂ    嵌合凹部
１０ｃ    端子部
１１      ネジ孔
１２      正面側防水パッキン（パッキン）
１３      接触端子
１４      窓部
１５      防水シート
１６      第１ネジ挿通孔
１７      第１隆起部
１８      背面側防水パッキン
１９      第２ネジ挿通孔
２０      第２隆起部
５０      固定用ネジ
５０ａ    ネジ頭
【図１】
2014120881.tif 000003
【図２】
2014120881.tif 000004
【図３】
2014120881.tif 000005
【図４】
2014120881.tif 000006
【図５】
2014120881.tif 000007
【図６】
2014120881.tif 000008
【図７】
2014120881.tif 000009
【図８】
2014120881.tif 000010
【図９】
2014120881.tif 000011
【図１０】
2014120881.tif 000012